(57)【要約】【課題】  使う場所を限定されず、使用していないときにも邪魔にならずに梯子以外の用途に有効に利用することができる折り畳み式梯子を提供する。【解決手段】  相対向して配置される２本の側柱１１０，１１０と、これらの側柱間に架設され、両端が前記側柱に回動自在に結合される複数の踏み板１２０と、前記側柱１１０の長手方向に形成され、前記踏み板が進入可能な踏み板溝１１１と、前記踏み板の両端部に踏み板と側柱の双方と直交する両方向に立設されたピン１２１と、該ピンが通過可能で、前記踏み板溝と連通して形成されたピン溝１１２と、該ピン溝１１２内に嵌装され、上下の踏み板間のピン相互間の距離を規定するスペーサ１３０とを有する。【選択図】      図１
2008057150.tif 000002
【特許請求の範囲】
【請求項１】
相対向して配置される２本の側柱と、これらの側柱間に架設され、両端が前記側柱に回動自在に結合される複数の踏み板と、を有する折り畳み式梯子において、
前記側柱の長手方向に形成され、前記踏み板が進入可能な踏み板溝と、前記踏み板の両端部に踏み板と側柱の双方と直交する両方向に立設されたピンと、該ピンが通過可能で、前記踏み板溝と連通して形成されたピン溝と、該ピン溝内に嵌装され、上下の踏み板間のピン相互間の距離を規定するスペーサとを設けたことを特徴とする折り畳み式梯子。
【請求項２】
前記側柱が半円筒形状で、梯子を折り畳んだとき、両側の側柱によりほぼ１本の丸棒が形成されることを特徴とする請求項１記載の折り畳み式梯子。
【請求項３】
前記踏み板溝とピン溝とが前記側柱の全長に亘って形成され、側柱の上端と下端とに踏み板溝とピン溝を閉塞するキャップを設けたことを特徴とする請求項１又は２記載の折り畳み式梯子。
【請求項４】
前記側柱の頂部に梯子掛止用のフックを設けたことを特徴とする請求項１から３のいずれかに記載の折り畳み式梯子。
【発明の詳細な説明】
【技術分野】
【０００１】
本発明は、折り畳み式梯子に関し、特に、折り畳んだとき、１本の棒状になって物干し竿等として使用することができる梯子に関する。
【背景技術】
【０００２】
従来の折り畳み式梯子としては、特許文献１（特開２００６−５２６０３）が知られている。これは、パンタグラフ式多段圧縮アームを伸縮方向を揃えて配したもので、梯子の高さ方向に伸縮可能としている。しかしながら、この梯子は、リンクの数が多く製造コストが高く、高価なものとなる。
【０００３】
次に、特許文献２（特開平９−２５６７６５）は、バルコニーなどの壁面に梯子の一方の側柱を固定し、これに複数の踏み板の各一端側を回動自在に取り付け、各踏み板の他端側を、対向する側柱に回動自在に取り付けたものが開示されている。この梯子は、使用しないときは、折り畳むと、壁から離れている方の側柱が、壁に固定されている側柱に密着した状態になり、幅方向の寸法を小さくすることができる。また、構造が簡単であり、安価に製造できる。
【特許文献１】特開２００６−５２６０３
【特許文献２】特開平９−２５６７６５
【発明の開示】
【発明が解決しようとする課題】
【０００４】
しかしながら、特許文献２に記載の梯子は、壁に固定されているので、使用できる場所が限定される。また、使用していないときは、折り畳んではあるが、２本の側柱が壁から突出しているので、邪魔である。
【０００５】
本発明は、このような実情から考えられたもので、使う場所を限定されず、使用していないときにも邪魔にならずに梯子以外の用途に有効に利用することができる折り畳み式梯子を提供することを目的としている。
【課題を解決するための手段】
【０００６】
上記の目的を達成するために、本発明の折り畳み式梯子は、相対向して配置される２本の側柱と、これらの側柱間に架設され、両端が前記側柱に回動自在に結合される複数の踏み板と、を有する折り畳み式梯子において、前記側柱の長手方向に形成され、前記踏み板が進入可能な踏み板溝と、前記踏み板の両端部に踏み板と側柱の双方と直交する両方向に立設されたピンと、該ピンが通過可能で、前記踏み板溝と連通して形成されたピン溝と、該ピン溝内に嵌装され、上下の踏み板間のピン相互間の距離を規定するスペーサとを設けたことを特徴としている。
【０００７】
前記側柱が半円筒形状で、梯子を折り畳んだとき、両側の側柱によりほぼ１本の丸棒が形成される構成としたり、前記踏み板溝とピン溝とが前記側柱の全長に亘って形成され、側柱の上端と下端とに踏み板溝とピン溝を閉塞するキャップを設けた構成としたり、前記側柱の頂部に梯子掛止用のフックを設けた構成としたりすることができる。
【発明の効果】
【０００８】
本発明の折り畳み式梯子は、折り畳んだとき、２本の側柱が重なって１本の棒状になるので、持ち運びが容易になり、所望の場所に持ち運んで使用することができる。また、折り畳んだとき、外部に突起物が全く無くなるので、折り畳んだ状態で物干し竿などとして使用することができ、邪魔になることがないという優れた効果を奏し得る。
【０００９】
梯子を折り畳んだとき、両側の側柱によりほぼ１本の丸棒が形成される構成にすることで、よりコンパクトになり、物干し竿として使用するとき便利である。
【発明を実施するための最良の形態】
【００１０】
以下、本発明の実施の形態を添付図面を参照して説明する。
図１は、本発明の折り畳み式梯子の使用状態を示す斜視図である。本発明の折り畳み式梯子１００は、左右の側柱１１０，１１０間に、複数の踏み板１２０を回動自在に結合した構成である。
【００１１】
図２（ａ）は、図１のＡ−Ａ線で切断して拡大した断面図で、（ｂ）は、（ａ）のＢから見た図で、踏み板とスペーサとの関係を示すために側柱１１０を仮想線で示した図である。
【００１２】
側柱１１０は、断面がほぼ半円形で、相手側の側柱と対向する平面側に、踏み板溝１１１が側柱１１０の全長に渡って形成されている。この踏み板溝１１１は、踏み板１２０の端部を挿入するためのものである。踏み板溝１１１の最も奥の部分は、肉厚を一定にする目的から扇形に拡げられている。踏み板溝１１１の両側には、断面形状が円形のピン溝１１２が踏み板溝１１１と平行に、かつ、側柱１１０の全長に渡って形成されている。踏み板溝１１１と両側のピン溝１１２とは、連通している。このような断面形状の側柱１１０は、アルミニウムの引抜加工や、樹脂の成形加工等により、製造することができる。
【００１３】
踏み板１２０は、中空の四角柱状で、その幅は踏み板溝１１１より若干狭く、踏み板溝１１１内を自由に昇降できるようになっている。また、踏み板１２０の端部には、踏み板１２０と側柱１１０とで画定される平面に対して直交する方向に延びるピン１２１が立設されている。ピン１２１は、１本のピンが踏み板１２０の両側に突出するように立設されたもので、ピン溝１１２内を昇降自在な太さである。図２には、踏み板１２０の一方だけしか描かれていないが、踏み板１２０の他端側にも、おなじようにピン１２１が立設され、図示されない方の側柱１１０のピン溝１１２に収容されている。
【００１４】
踏み板１２０は複数設けられているが、踏み板１２０と踏み板１２０との間には、スペーサ１３０を入れて、所定の間隔を保持できるようにしている。スペーサ１３０は、ピン溝１１２内に収容されるように円形断面となっており、上端と下端は、ピン１２１との係合が良くなるように、ピン１２１の形状に合わせて半円形状の凹部になっている。
【００１５】
側柱１１０の上端と下端には、キャップ１１４が取り付けられる。キャップ１１４は、厚さ１．５ｍｍ程度のステンレス鋼の薄板を使用する。側柱１１０の幅が５０ｍｍ程度なので、ほんの僅かに段が付く程度である。一番上の踏み板１２０と上のキャップ１１４との間、及び、一番下の踏み板１２０と下のキャップ１１４との間にもスペーサ１３０が嵌装されている。このキャップ１１４は、スペーサ１３０や踏み板１２０のストッパとなるものである。キャップ１１４と側柱１１０との結合は、側面に突起が出ないように固定している。このような固定方法としては、実施例では、キャップ１１４と側柱１１０の先端面とを図示しないビスで止めているが、別の方法として、キャップと側柱を接着剤で接着固定してもよい。
【００１６】
側柱１１０の頂部には、掛止用フックとして、大フック１４０と、小フック１５０が設けられている。大フック１４０は、ベランダの手摺りなど比較的厚い壁などに梯子１００を引っかけるためのもので、小フック１５０は鉄柵など比較的細い棒などに梯子１００を引っかけたり、梯子を使用したとき、梯子１００と壁との間隔を保持するためのものである。小フック１５０は、側柱１１０の下端にも設けられる。ただし、これらの大フック１４０と小フック１５０は必須ではないので、必要なければ省略してもよい。
【００１７】
図３は本発明の折り畳み式梯子を折り畳んだ状態を示す図で、（ａ）は正面図、（ｂ）は側面図である。本発明の折り畳み式梯子１００は、踏み板１２０が両端でピン１２１により側柱１１０と掛止し、回動自在になっているので、一方の側柱１１０を上げるか、他方の側柱１１０を下げるかすると、２本の側柱１１０は相互に接触するまで接近することができる。そして、接触したとき、２本の側柱１１０は、１本のほぼ丸い棒状になる。
【００１８】
本発明の折り畳み梯子１００は、踏み板１２０の回動軸となるピン１２１が、側柱１１０の外側に全く露出しない構造となっている。また、踏み板１２０と踏み板１２０との間隔を保つ方法もスペーサ１３０を使用し、そのスペーサ１３０も外部に露出することがない。そのため、本発明の折り畳み式梯子１００を折り畳んで丸い棒状にしたとき、外周面の凹凸は、キャップ１１４が板厚の分が段となるだけで、その他は、全く無いというのが大きな特徴である。
【００１９】
そこで、梯子として使用しないときは図４に示すように、折り畳んでベランダなどのフック１６０，１６０に掛止することで、物干し竿として使用することができる。外周面に突出するものが何もないので、物干し竿として好適に使用することができる。
【００２０】
なお、大フック１４０と、小フック１５０とは、折り畳んだとき邪魔にならないように回動自在に取り付けてもよい。さらに、着脱可能な構成にしてもよいが、紛失することを防止するためには、回動しても取りはずれできない方式が望ましい。
【図面の簡単な説明】
【００２１】
【図１】本発明の折り畳み式梯子の使用状態を示す斜視図である。
【図２】（ａ）は、図１のＡ−Ａ線で切断して拡大した断面図で、（ｂ）は、（ａ）のＢから見た図で、踏み板とスペーサとの関係を示すために側柱を仮想線で示した図である。
【図３】本発明の折り畳み式梯子を折り畳んだ状態を示す図で、（ａ）は正面図、（ｂ）は側面図である。
【図４】本発明の梯子を折り畳んだ状態での使用例を示す図である。
【符号の説明】
【００２２】
１００    折り畳み式梯子
１１０    側柱
１１１    踏み板溝
１１２    ピン溝
１１４    キャップ
１２０    踏み板
１２１    ピン
１３０    スペーサ
１４０    大フック
１５０    小フック
【図１】
2008057150.tif 000003
【図２】
2008057150.tif 000004
【図３】
2008057150.tif 000005
【図４】
2008057150.tif 000006